(57)【要約】【課題】商品の補充吊り下げを容易に行うことができる商品陳列用フック装置を提供する。【解決手段】この商品陳列用フック装置は、両側に立設された棚支柱１に棚受け２が取り付けられ、両側の棚受け２，２間に、水平フックバー３が水平に取り付けられ、水平フックバー３上に多数のフック棒４が取り付けられ、フック棒４に商品を吊り下げて陳列する商品陳列用フック装置である。水平フックバー３が両側の棚受け２に対し前後に摺動可能に取り付けられる。【選択図】図１
2014150953.tif 000002
【特許請求の範囲】
【請求項１】
両側に立設された棚支柱に棚受けが取り付けられ、両側の該棚受け間に、水平フックバーが水平に取り付けられ、該水平フックバー上に多数のフック棒が取り付けられ、該フック棒に商品を吊り下げて陳列する商品陳列用フック装置において、
該水平フックバーが該両側の棚受けに対し前後に摺動可能に取り付けられたことを特徴とする商品陳列用フック装置。
【請求項２】
前記水平フックバーの両側端部には、摺動ガイド部材が取り付けられ、前記両側の棚受けの内側に、該摺動ガイド部材を摺動可能に保持する摺動レール部が設けられたことを特徴とする請求項１記載の商品陳列用フック装置。
【請求項３】
前水平フックバーの両側端部に取り付けた前記摺動ガイド部材には、手前に突出するレバー部が前記摺動レール部内に進退可能に取り付けられ、該レバー部の先端に取手が取り付けられ、該レバー部を該摺動レール部内の奥まで挿入したとき、該取手が該摺動レール部の前開口を閉じることを特徴とする請求項２記載の商品陳列用フック装置。
【請求項４】
前記棚受けの摺動レール部の奥部に前記摺動ガイド部材が戻ったときの戻り位置を保持するために、マグネットが該摺動ガイド部材または摺動レール部に設けられたことを特徴とする請求項３記載の商品陳列用フック装置。
【請求項５】
前記棚受けの元部には、該棚支柱の側面に対し当接して該棚受けのがたつきを防止するためのがたつき防止部が突設されたことを特徴とする請求項１記載の商品陳列用フック装置。
【請求項６】
前記棚受けは、棚受け基板と該棚受け基板の側部に固定される断面コ字状のチャンネル部材とからなり、該棚受け基板の元部には該棚支柱の組付け穴に嵌入される鉤部が設けられ、前記がたつき防止部が該棚受け基板または該チャンネル部材の元部に設けられたことを特徴とする請求項５記載の商品陳列用フック装置。
【発明の詳細な説明】
【技術分野】
【０００１】
本発明は、商品陳列棚の水平フックバーに陳列用のフック棒が取り付けられ、フック棒に商品を吊り下げて陳列する商品陳列用フック装置に関する。
【背景技術】
【０００２】
従来、商品陳列棚の両側棚受け間に、水平フックバーを水平に取り付け、その水平フックバー上に、複数本の商品陳列用のフック棒を、手前に突き出すように並設し、略水平に配設された複数のフック棒上に、包装袋などに収納された多数の小物商品を、吊り下げて陳列する商品陳列用フック装置が、下記特許文献１などで知られている。
【０００３】
この種の商品陳列用フック装置において、フック棒に吊り下げられた商品は、通常、前のものから順に購買者によって購入されて取り出されるので、販売者は少なくなった商品のフック棒に対し、奥に位置する商品を手前に出すように、商品を動かしている。このために、商品を前に引き出すための商品前出し具がフック棒に装着される場合があり、フック棒上の商品を手前に引き出す際には、商品前出し具を用いて比較的容易に商品を前に出すことができる。
【先行技術文献】
【特許文献】
【０００４】
【特許文献１】特開２００１−３４０１８４号公報
【発明の概要】
【発明が解決しようとする課題】
【０００５】
しかし、従来のこの種の商品陳列用フック装置は、商品が購買者によって取り出されて手前のフック棒に空間が生じた場合、商品前出し具を使用して商品を手前に出すようにできるものの、商品が売れて販売者がその商品を補充する際、フック棒の奥の空間に新たな商品を吊り下げることとなるが、新たな商品を補充してフック棒の奥に吊り下げることは、必ずしも容易ではない。
【０００６】
すなわち、この種の商品陳列用フック装置を取り付けた陳列棚には、通常、数多くのフック棒が縦横に並設され、それらのフック棒には、多くの小物商品が吊り下げられている。このため、商品が売り切れた際、或いは商品が残り少なくなった場合、販売者が新たな商品を補充して吊り下げることになるが、補充するフック棒の上下左右の位置にも、通常、多くの小物商品が吊り下げられている。
【０００７】
このために、販売者はフック棒の奥に手を差し込み、新たな商品をフック棒の奥の位置に吊り下げて補充することとなるが、その上下左右の位置に別の多くの商品が吊り下げられているため、販売者の手がフック棒の奥まで届きにくく、商品の補充が行いにくいという不具合があった。
【０００８】
本発明は、上述の課題を解決するものであり、商品の補充吊り下げを容易に行うことができる商品陳列用フック装置を提供することを目的とする。
【課題を解決するための手段】
【０００９】
本発明に係る商品陳列用フック装置は、両側に立設された棚支柱に棚受けが取り付けられ、両側の該棚受け間に、水平フックバーが水平に取り付けられ、該水平フックバー上に多数のフック棒が取り付けられ、該フック棒に商品を吊り下げて陳列する商品陳列用フック装置において、該水平フックバーが該両側の棚受けに対し前後に摺動可能に取り付けられたことを特徴とする。
【００１０】
この発明によれば、フック棒を保持した水平フックバーを両側の棚受けから手前に引き出すことができるため、フック棒上に吊り下げた商品が売り切れた際、或いは商品が残り少なくなった場合、販売者は水平フックバーごとフック棒を手前に引き出し、上下に開放された空間で、容易に、新たな商品をフック棒上に補充して吊り下げることができる。また、商品を吊り下げるフック棒が手前に引き出されているため、フック棒に商品が残っている場合、新たな商品はフック棒の奥から順に前に向かって順に吊り下げ、古い商品から順に前に陳列することができる。
【００１１】
ここで、上記水平フックバーの両側端部には、摺動ガイド部材が取り付けられ、上記両側の棚受けの内側に、該摺動ガイド部材が摺動可能に保持される摺動レール部を形成するように構成することができる。これによれば、水平フックバーを水平状態で安定して前後に摺動させることができる。
【００１２】
また、上記のものでは、上記棚受けの摺動レール部の奥部に前記摺動ガイド部材が戻ったときの戻り位置を保持するために、マグネットを該摺動ガイド部材または摺動レール部に設けることができる。これによれば、水平フックバー及び摺動ガイド部材を棚受けの奥部に戻したとき、マグネットが摺動ガイド部材と摺動レール部を吸着して停止させ、且つ安定してその停止状態を保持し、水平フックバーの不要な移動を防止するとともに、必要なときのみ、水平フックバーを引き出して使用することができる。
【００１３】
ここで、上記水平フックバーの両側端部に取り付けた前記摺動ガイド部材には、手前に突出するレバー部が前記摺動レール部内に進退可能に取り付けられ、該レバー部の先端に取手が取り付けられ、該レバー部を該摺動レール部内の奥まで挿入したとき、該取手が該摺動レール部の前開口を閉じるように構成することができる。これによれば、水平フックバーを引き出し或いは元に戻す場合、レバー部の取手を持って容易に出し入れを行うことができ、レバー部、水平フックバー及び摺動ガイド部材を奥端部まで押し込んだとき、摺動レール部の前開口は取手により閉じられ、棚受け先端の前開口が外観の悪化などに悪影響を与えることはない。
【００１４】
さらに、上記棚受けの元部には、棚支柱の側面に対し当接して棚受けのがたつきを防止するためのがたつき防止部が突設された構成とすることができる。また、上記棚受けは、棚受け基板と該棚受け基板の側部に固定される断面コ字状のチャンネル部材とからなり、該棚受け基板の元部には該棚支柱の組付け穴に嵌入される鉤部が設けられ、上記がたつき防止部が該棚受け基板または該チャンネル部材の元部に固定される構成とすることができる。
【発明の効果】
【００１５】
この発明の商品陳列用フック装置によれば、フック棒を装着した水平フックバーを棚受けから引き出して、フック棒に吊り下げて陳列する商品の補充吊り下げを、容易に行うことができる。
【図面の簡単な説明】
【００１６】
【図１】本発明の一実施形態を示す商品陳列用フック装置の斜視図である。
【図２】同商品陳列用フック装置の向きを変えた状態の斜視図である。
【図３】同商品陳列用フック装置の正面図である。
【図４】同商品陳列用フック装置の拡大斜視図である。
【図５】水平フックバーを引き出した状態の斜視図である。
【図６】水平フックバーを引き出した状態の拡大斜視図である。
【図７】水平フックバーを引き出した状態の下側から見た斜視図である。
【図８】水平フックバーを引き出した状態の平面図である。
【図９】水平フックバーを引き出した状態の右側面図である。
【図１０】商品陳列用フック装置の分解斜視図である。
【図１１】棚受けと水平フックバーの分解斜視図である。
【図１２】棚受けの拡大分解斜視図である。
【図１３】摺動ガイド部材とレバー部の拡大分解斜視図である。
【発明を実施するための形態】
【００１７】
以下、本発明の一実施形態を図面に基づいて説明する。本商品陳列用フック装置は、図１〜図４に示すように、両側に立設された棚支柱１に棚受け２が取り付けられ、両側の棚受け２，２間に、水平フックバー３が水平に取り付けられ、水平フックバー３上に多数のフック棒４が取り付けられ、フック棒４に商品を吊り下げて陳列するように構成される。
【００１８】
図５〜図９に示す如く、この商品陳列用フック装置は、水平フックバー３が両側の棚受け２，２に対し前後に摺動可能に取り付けられ、多数のフック棒４が水平フックバー３上に並設され装着される。なお、棚支柱１は、図示しない陳列棚ベース上に、所定の間隔をおいて鉛直に立設される。また、水平フックバー３上のフック棒４は、図面では１本のみ記しているが、実際の使用においては、多数のフック棒４がコ字状基部４ａを介して水平フックバー３上に装着される。
【００１９】
両側の棚受け２，２に対し水平フックバー３を前後に摺動可能とするために、図１０，１１に示すように、水平フックバー３の両側端部に、摺動ガイド部材５が取り付けられ、両側の棚受け２，２の内側には、摺動ガイド部材５を摺動可能に保持するための摺動レール部２１が設けられる。水平フックバー３は角パイプ状に形成され、その両側端部は、図１３のように、摺動ガイド部材５の取付部５ｂに嵌入され、固定される。
【００２０】
フック棒４は、図６に示すように、コ字状基部４ａからフックを前方に突き出すように固定して形成され、コ字状基部４ａが水平フックバー３上に嵌合可能に形成される。多数のフック棒４が、水平フックバー３上に、コ字状基部４ａを介して、フック先端を前方に向けて並設されるようになっている。
【００２１】
棚受け２は、図１２に示すように、金属板からなる棚受け基板２２と棚受け基板２２の側部に固定される断面コ字状のチャンネル部材２３とからなり、棚受け基板２２の元部には棚支柱１の組付け穴１ａに嵌入される鉤部２２ａが設けられる。つまり、チャンネル部材２３の内側が摺動レール部２１として形成され、摺動ガイド部材５が摺動レール部２１内に前後に摺動可能に保持される。棚受け基板２２とチャンネル部材２３の固定は、図１２のように、固定ねじを用いて固定することができるが、溶接或いはかしめにより固定することもできる。
【００２２】
さらに、図１２に示すように、がたつき防止部８が棚受け基板２２またはチャンネル部材２３の元部に設けられ、或いは固定される。このがたつき防止部８は、図４，５に示すように、棚受け２，２を棚支柱１に取り付けたとき、つまり、棚受け基板２２の元部に突設した鉤部２２ａを棚支柱１の組付け穴１ａに嵌入して棚受け２，２を棚支柱１に組み付けたとき、がたつき防止部８が棚支柱１の側面に当接する。これにより、水平フックバー３を両側の棚受け２，２間に組み付けた状態で、両側の棚受け２，２の内側に、両側のがたつき防止部８が当接することとなり、水平フックバー３を介して一体となった両側の棚受け２，２の左右のがたつきが防止される。
【００２３】
水平フックバー３は、上記のように、両側の棚受け２，２間に水平状態で配設されるが、水平フックバー３の両側端部には、図１１、１３に示すように、摺動ガイド部材５が取り付けられ、両側の摺動ガイド部材５が各々、両側の棚受け２，２の摺動レール部２１と摺動可能に配設される。
【００２４】
図１３のように、摺動ガイド部材５は、板状部５ａの側部に取付部５ｂを内側の突き出すように設けて構成され、水平フックバー３の先端部内に取付部５ｂを嵌入して水平フックバー３の両端に摺動ガイド部材５が取り付けられる。さらに、摺動ガイド部材５の外側に図１３に示す如く、レバー部６が固定ねじなどを用いて、棚受け２の摺動レール部２１と平行になるように固定され、レバー部６が摺動レール部２１内を摺動ガイド部材５とともに前後方向に摺動し、棚受け２から前方に引き出し可能な構造となっている。
【００２５】
摺動ガイド部材５のレバー部６の先端には、図１１、１３に示すように、取手７が固定される。取手７は、合成樹脂などで成形された取手部を、取付部の先端下側に突設して形成され、使用者が、両側側の棚受け２，２のレバー部６の取手７を持って、水平フックバー３を水平状態のまま容易に引き出せるようになっている。図１３のように、図面では、固定ねじにより取手７をレバー部６の先端に固定しているが、溶接或いはかしめにより固定することもできる。
【００２６】
このレバー部６の長さは、チャンネル部材２３の長さと略同じに形成され、レバー部６をチャンネル部材２３の摺動レール部２１内に押し込み挿入したとき、レバー部６の略全体が摺動レール部２１内に入り、その先端の取手７がチャンネル部材２３の前開口を塞ぐようになっている。これにより、レバー部６、水平フックバー３及び摺動ガイド部材５を、棚受け２の奥端部まで押し込んだとき、摺動レール部２１の前開口は取手７により閉じられ、棚受け２の先端の前開口が外観の悪化などに悪影響を与えることはない。
【００２７】
さらに、図６に示すように、棚受け２の摺動レール部２１内の奥部に、マグネット９が取り付けられる。このマグネット９は、水平フックバー３、摺動ガイド部材５及びレバー部６が棚受け２の奥部（後部）に戻されたとき、マグネット９が摺動ガイド部材５またはレバー部６の端部を吸着して停止させ且つ停止状態を安定して保持するようになっている。これにより、水平フックバー３を棚受け２の奥部まで押し込んだとき、水平フックバー３が停止し、水平フックバー３の不要な移動を防止し、必要なときのみ、水平フックバー３を引き出すことができる。なお、マグネットは摺動ガイド部材５またはレバー部６の末端部に取り付け、摺動レール部の奥端部に設けた磁性体当て部に、マグネットを吸着させるようにすることもできる。
【００２８】
次に、上記構成の商品陳列用フック装置の使用形態を説明する。上記のようなフック装置を備えた商品陳列棚は、図１，４に示す如く、包装袋に収納された小形商品Ｐを、フック棒４に吊り下げて陳列するように、各種の店舗において使用される。商品の販売形態によって異なるが、２本の棚支柱１の間には、通常、５〜６本の水平フックバー３が多段状に、両側の棚受け２，２を介して取り付けられ、各水平フックバー３には、多数のフック棒４が並設される。
【００２９】
陳列する商品を吊り下げる場合、或いは販売されて少なくなった商品を補充する場合、店舗の係員は両側の取手７を持って水平フックバー３を手前に引き出す。このとき、両側の棚受け２，２の摺動レール部２１内における摺動ガイド部材５及びレバー部６が手前に摺動して引き出され、摺動ガイド部材５に連結される水平フックバー３が水平状態のまま、摺動レール部２１に沿って前方に移動し、水平フックバー３が、図５〜図８のように、陳列棚の前方に引き出され、必然的に、その水平フックバー３上のフック棒４も引き出される。摺動ガイド部材５が最前部まで移動すると、図示しないストッパなどに当接して停止する。
【００３０】
このように、水平フックバー３とともにフック棒４を手前に引き出すことができるので、引き出したフック棒４の上下に空間ができ、店舗の係員は、新たな商品Ｐを或いは販売されて少なくなった商品Ｐを、上下の空間を利用して、フック棒４上に容易に吊り下げることができる。また、引き出された水平フックバー３上のフック棒４に吊り下げられた商品Ｐは、容易にその位置を変えることができるので、フック棒４上に残っている商品は前に出し、補充する商品はフック棒４の奥に吊り下げるようにすることができる。これにより、古い商品から順に前に出し顧客に提供することができる。
【００３１】
このように、水平フックバー３を手前に引き出して商品Ｐを吊り下げることできるため、例えば陳列棚に５〜６段の水平フックバー３が取り付けられる場合、各段の水平フックバー３を順に引き出して、それらの水平フックバー３上のフック棒４に、新たな商品の吊り下げ或いは残り少ない商品の補充を容易に行うことができる。
【００３２】
そして、商品Ｐの吊り下げを完了した水平フックバー３については、奥に押し込んで元の位置に押し戻す。このとき、使用者は、両側のレバー部６の取手７を持って、水平フックバー３を水平状態のまま容易に奥まで押し込むことができ、レバー部６を押し込むと、取手７が棚受け２の先端の前開口を図４のように閉じることとなる。またこのとき、摺動ガイド部材５及びレバー部６は、摺動レール部２１内を奥部まで摺動・移動し、奥端部の定位置まで移動したとき、摺動ガイド部材５またはレバー部６の端部が、マグネット９に吸着して停止し、その押し戻し位置が保持される。
【００３３】
このように、フック棒４を保持した水平フックバー３を両側の棚受け２，２から手前に引き出すことができるため、フック棒４上に吊り下げた商品が売り切れた際、或いは商品が残り少なくなった場合、販売者は水平フックバー３ごとフック棒４を手前に引き出し、上下に開放された空間で、容易に、新たな商品をフック棒４上に補充して吊り下げることができる。また、商品を吊り下げるフック棒４が手前に引き出され、上下に空間が生じているため、フック棒４に商品が残っている場合、販売者は、それらを容易に動かすことができるため、新たな商品をフック棒４の奥から順に前に向かって順に吊り下げ、古い商品から順に前に陳列することができる。
【符号の説明】
【００３４】
１      棚支柱
１ａ    取付け穴
２      棚受け
３      水平フックバー
４      フック棒
４ａ    コ字状基部
５      摺動ガイド部材
５ａ    板状部
５ｂ    取付部
６      レバー部
７      取手
８      がたつき防止部
９      マグネット
２１    摺動レール部
２２    棚受け基板
２２ａ  鉤部
２３    チャンネル部材
【図１】
2014150953.tif 000003
【図２】
2014150953.tif 000004
【図３】
2014150953.tif 000005
【図４】
2014150953.tif 000006
【図５】
2014150953.tif 000007
【図６】
2014150953.tif 000008
【図７】
2014150953.tif 000009
【図８】
2014150953.tif 000010
【図９】
2014150953.tif 000011
【図１０】
2014150953.tif 000012
【図１１】
2014150953.tif 000013
【図１２】
2014150953.tif 000014
【図１３】
2014150953.tif 000015